(57)【特許請求の範囲】
【請求項１】
犯罪現場における証拠物件を採取して科学的に鑑定する鑑識において、鑑識対象物を採取するものであって、
片手による手持ち操作可能な装置ケース内に、採取シールを貼着保持してなる採取テープが繰出し供給可能に装填されるとともに、前記装置ケースの先端部に、前記採取テープの基材テープから前記採取シールを剥離供給する剥離ヘッドが設けられてなり、
前記剥離ヘッドにより仮剥離状態で保持された採取シールの粘着面が、鑑識対象物を貼着採取する採取面として機能する構成とされている
ことを特徴とする鑑識対象物の採取装置。
【請求項２】
前記装置ケースの外部から手動で前記採取テープを繰出し操作するためのテープ繰出し手段を備え、
このテープ繰出し手段の繰出し操作により、前記採取テープが所定量繰出されて、採取テープ上に貼着保持される最前部の採取シールが、前記剥離ヘッドにより一部剥離されて仮剥離状態で保持される
ことを特徴とする請求項１に記載の鑑識対象物の採取装置。
【請求項３】
犯罪現場における証拠物件を採取して科学的に鑑定する鑑識において、鑑識対象物を採取するものであって、
片手による手持ち操作可能な装置ケースと、
この装置ケース内に回転可能に装着されて、採取シールを貼付保持してなる採取テープを巻装した繰出リールと、
前記装置ケース内に回転可能に装着されて、使用後の前記採取テープを巻取り回収する巻取リールと、
前記装置ケースの先端部分に配設されて、前記繰出リールから繰出される採取テープに貼付保持される前記採取シールを剥離供給する剥離ヘッドとを備えてなり、
前記剥離ヘッドにより仮剥離状態で保持された採取シールの粘着面が、鑑識対象物を貼着採取する採取面として機能する構成とされている
ことを特徴とする鑑識対象物の採取装置。
【請求項４】
前記剥離ヘッドは、前記採取テープを採取物貼付用台紙上に加圧する直線状の先端加圧部を有する
ことを特徴とする請求項１または３に記載の鑑識対象物の採取装置。
【請求項５】
前記装置ケースの外部から手動で前記採取テープを繰出し操作するためのテープ繰出し手段を備え、
このテープ繰出し手段の繰出し操作により、前記繰出リール上の採取テープが所定量繰出されて、採取テープ上に貼着保持される最前部の採取シールが、前記剥離ヘッドにより一部剥離されて仮剥離状態で保持される
ことを特徴とする請求項３に記載の鑑識対象物の採取装置。
【請求項６】
前記装置ケースは、前記繰出リールまたは巻取リールの一部が外部に臨む開口を備え、
この開口が前記繰出リールまたは巻取リールを回転操作する操作窓として機能して、前記テープ繰出し手段が構成されている
ことを特徴とする請求項５に記載の鑑識対象物の採取装置。
【請求項７】
前記操作窓に、前記繰出リールまたは巻取リールの軸部が外部に臨むとともに、この操作窓から外部に望む前記軸部の部位に、操作ダイヤルと回転係合する係合部が設けられてなり、
前記操作ダイヤルは、円板状の回転操作部と、この回転操作部の回転中心位置に一体的に設けられ、前記軸部の係合部に軸部と同軸状にかつ係脱可能に回転係合する回転軸とからなり、
前記軸部に回転係合された前記操作ダイヤルの回転操作により、前記採取テープが装置ケースから繰出される構成とされている
ことを特徴とする請求項６に記載の鑑識対象物の採取装置。
【請求項８】
前記操作窓に、前記繰出リールまたは巻取リールと一体に設けられた回転操作部が臨み、
この回転操作部は、前記一体に設けられたリールと同心の円板状に形成された操作フランジの形態とされ、
この操作フランジの回転操作により、前記採取テープが装置ケースから繰出される構成とされている
ことを特徴とする請求項６に記載の鑑識対象物の採取装置。
【請求項９】
前記採取テープは、基材テープの表面に、多数の採取シールが所定間隔をもって剥離可能に貼着保持されてなり、
この採取シールは、採取した鑑識対象物を貼着する鑑識用台紙の貼付面積に対応した形状寸法を有する矩形短冊状の粘着シールの形態とされている
ことを特徴とする請求項１または３に記載の鑑識対象物の採取装置。
【請求項１０】
前記採取シールは、透明性材料からなる本体シートの一部に感圧粘着剤層が一体的に積層形成されてなり、この感圧粘着材層部分が前記採取面を形成している
ことを特徴とする請求項９に記載の鑑識対象物の採取装置。
【請求項１１】
前記感圧接着剤層の粘着力は、前記基材テープに対する貼着保持力よりも大きく設定されている
ことを特徴とする請求項９または１０に記載の鑑識対象物の採取装置。
【請求項１２】
前記採取シールは、その先端縁から所定の長さ方向部位が、前記感圧粘着剤層からなる採取面とされるとともに、この採取面以外の部位が非粘着面とされている
ことを特徴とする請求項９から１１のいずれか一つに記載の鑑識対象物の採取装置。
【請求項１３】
前記採取シールの一部に彩色が施されて、採取シールの所定部位を目視表示する目印マークが形成されている
ことを特徴とする請求項９から１２のいずれか一つに記載の鑑識対象物の採取装置。
【請求項１４】
前記採取シールの先端部位に前記目印マークが形成されて、採取シール先端部位を目視表示する構成とされている。
ことを特徴とする請求項１３に記載の鑑識対象物の採取装置。
【請求項１５】
前記採取シールにおける前記非粘着面部位に前記目印マークが形成されて、非粘着面部位を目視表示する構成とされている
ことを特徴とする請求項１３に記載の鑑識対象物の採取装置。
【請求項１６】
請求項１から７のいずれか一つに記載の鑑識対象物の採取装置に装填使用される採取テープであって、
基材テープの表面に、多数の採取シールが所定間隔をもって剥離可能に貼着保持されてなり、
この採取シールは、採取した鑑識対象物を貼着する鑑識用台紙の貼付面積に対応した形状寸法を有する矩形短冊状の粘着シールの形態とされている
ことを特徴とする鑑識対象物の採取テープ。
【請求項１７】
前記採取シールは、透明性材料からなる本体シートの一部に感圧粘着剤層が一体的に積層形成されてなるとともに、この感圧粘着材層部分が前記採取面を形成し、
この採取シールが、前記基材テープの表面に、前記本体シートを介して剥離可能に貼着保持されている
ことを特徴とする請求項１６に記載の鑑識対象物の採取テープ。
【請求項１８】
前記感圧接着剤層の粘着力は、前記基材テープに対する貼着保持力よりも大きく設定されている
ことを特徴とする請求項１６または１７に記載の鑑識対象物の採取テープ。
【請求項１９】
前記採取シールは、その先端縁から所定の長さ方向部位が、前記感圧粘着剤層からなる採取面とされるとともに、この採取面以外の部位が非粘着面とされている
ことを特徴とする請求項１６から１８のいずれか一つに記載の鑑識対象物の採取テープ。
【請求項２０】
前記採取シールの一部に彩色が施されて、採取シールの所定部位を目視表示する目印マークが形成されている
ことを特徴とする請求項１６から１９のいずれか一つに記載の鑑識対象物の採取テープ。
【請求項２１】
前記採取シールの先端部位に前記目印マークが形成されて、採取シール先端部位を目視表示する構成とされている。
ことを特徴とする請求項２０に記載の鑑識対象物の採取テープ。
【請求項２２】
前記採取シールにおける前記非粘着面部位に前記目印マークが形成されて、非粘着面部位を目視表示する構成とされている
ことを特徴とする請求項１８に記載の鑑識対象物の採取テープ。
【請求項２３】
犯罪現場における証拠物件を採取して科学的に鑑定する鑑識において、請求項１または３に記載の採取装置により鑑識対象物を採取する方法であって、
（１）前記装置ケースから前記採取テープを繰出し供給して、この採取テープの最先端に貼着保持される採取シールを、前記剥離ヘッドにより仮剥離するとともに、この仮剥離状態のまま保持する工程と、
（２）前記剥離ヘッドに仮剥離状態で保持された採取シールの採取面により、鑑識対象物を貼着して採取する工程と、
（３）前記採取テープ上の鑑識対象物を貼着採取した採取シールを、前記採取テープから剥離して、採取物貼付用台紙上に位置決めしながら貼付して、この採取シールにより前記鑑識対象物を採取物貼付用台紙上に貼着固定する工程とを備えてなる
ことを特徴とする鑑識対象物の採取方法。
【請求項２４】
前記採取シールが前記剥離ヘッドに仮剥離状態で保持されたとき、前記採取シールの採取面が前記剥離ヘッドの先端縁から前方に突出している
ことを特徴とする請求項２３に記載の鑑識対象物の採取方法。
【請求項２５】
前記剥離ヘッドは、前記採取テープを採取物貼付用台紙上に加圧する直線状の先端加圧部を有し、
前記（３）の工程において、前記採取シールの採取面により鑑識対象物を貼着して採取した後、前記剥離ヘッドの先端加圧部により、前記採取テープ上の鑑識対象物を貼着採取した採取シールを採取物貼付用台紙上に位置決めしながら加圧して、前記採取シールを採取物貼付用台紙に転写貼付するとともに、前記採取物貼付用台紙上の前記採取シールの表面を手指にて押圧して、この採取シールにより前記鑑識対象物を採取物貼付用台紙上に貼着固定する
ことを特徴とする請求項２３に記載の鑑識対象物の採取方法。
【請求項２６】
前記剥離ヘッドの先端加圧部により、前記採取シールを採取物貼付用台紙上に加圧して転写貼付するに際して、前記採取シールの採取面の粘着力を利用する
ことを特徴とする請求項２５に記載の鑑識対象物の採取方法。
【請求項２７】
前記採取装置は、前記装置ケースの外部から手動で前記採取テープを繰出し操作するためのテープ繰出し手段を備え、
前記（１）の工程において、前記テープ繰出し手段の繰出し操作により、前記繰出リール上の採取テープを所定量繰出して、採取テープ上に貼着保持される最前部の採取シールを、前記剥離ヘッドにより一部剥離させて仮剥離状態で保持する
ことを特徴とする請求項２３に記載の鑑識対象物の採取方法。
【請求項２８】
前記採取装置は、前記装置ケース内に、採取シールを貼付保持してなる採取テープを巻装した繰出リールと、使用後の前記採取テープを巻取り回収する巻取リールとが回転可能に装着されてなるとともに、前記装置ケースに、前記繰出リールまたは巻取リールの一部が外部に臨む開口を備え、この開口が前記繰出リールまたは巻取リールを回転操作する操作窓として機能して、前記テープ繰出し手段が構成され、
前記（１）の工程において、前記操作窓を介して前記繰出リールまたは巻取リールを回転操作することにより、前記繰出リール上の採取テープを所定量繰出して、採取テープ上に貼着保持される最前部の採取シールを、前記剥離ヘッドにより一部剥離させて仮剥離状態で保持する
ことを特徴とする請求項２７に記載の鑑識対象物の採取方法。
【請求項２９】
前記操作窓に、前記繰出リールまたは巻取リールの軸部が外部に臨むとともに、この操作窓から外部に望む前記軸部の部位に、操作ダイヤルと係脱可能に回転係合する係合部が設けられてなり、
前記（１）の工程において、前記操作ダイヤルを前記軸部に回転係合させた状態で、この操作ダイヤルを回転操作することにより、前記採取テープを装置ケースから繰出し供給する
ことを特徴とする請求項２８に記載の鑑識対象物の採取方法。
【請求項３０】
前記操作窓に、前記繰出リールまたは巻取リールと一体に設けられた回転操作部が臨み、この回転操作部は、前記一体に設けられたリールと同心の円板状に形成された操作フランジの形態とされ、
前記（１）の工程において、前記操作フランジを回転操作することにより、前記採取テープを装置ケースから繰出し供給する
ことを特徴とする請求項２８に記載の鑑識対象物の採取方法。
【請求項３１】
前記採取シールは、その先端部位に彩色が施されて、採取シール先端部位を目視表示する目印マークが形成され、
前記（１）の工程において、前記採取シール先端部位の目印マークを、前記採取テープを装置ケースから繰出し供給する際の目印とする
ことを特徴とする請求項２３に記載の鑑識対象物の採取方法。
【請求項３２】
前記採取シールは、その先端縁から所定の長さ方向部位が、前記感圧粘着剤層からなる採取面とされるとともに、この採取面以外の部位が非粘着面とされてなり、
前記（３）の工程により前記鑑識対象物を採取物貼付用台紙上に貼着固定した後、前記採取シールの非粘着面部位を手指にて摘んで採取シールを前記採取物貼付用台紙から剥離させることにより、前記鑑識対象物を他の採取物貼付用台紙に移転貼着固定する
ことを特徴とする請求項２３に記載の鑑識対象物の採取方法。
【発明の詳細な説明】
【技術分野】
【０００１】
本発明は、鑑識対象物の採取装置、採取テープおよび採取方法に関し、さらに詳細には、殺人現場等の犯罪現場における証拠物件を採取して科学的に鑑定する鑑識において、証拠物件である鑑識対象物を採取する採取技術に関する。
【背景技術】
【０００２】
近年、殺人事件等の凶悪犯罪が多発しており、鑑識はこのような犯罪現場における毛髪、指紋、血痕、筆跡等の証拠物件を採取して科学的に鑑定する作業で、犯人特定に重要な役割・威力を発揮している。
【０００３】
この鑑識の一連の手続において、最初でかつ最重要な作業が、証拠物件の採取作業である。例えば、犯罪現場に残された毛髪を採取する作業は、警察の鑑識係官が、粘着テープを用いて、犯罪現場の床等に落ちている毛髪を貼着させて採取し、この採取した毛髪を粘着テープごと所定の鑑識用台紙に貼着固定させ、さらには、他の鑑識用台紙へ貼り替える。
【０００４】
これらの一連の採取作業は、粘着テープを用いた手作業であるところ、粘着テープの粘着面を手指にて直接触れて持つことになるため、その取り扱いが面倒であるばかりか、粘着面に採取対象物である毛髪以外に、作業者の手指の付着物や汗、油等も付着する可能性が高く、高精度な鑑識を行うためには決して好ましい方法ではなかった。
【０００５】
また、従来は、鑑識専用の粘着テープは存在せず、鑑識係官等の作業者が、自身で一般市販の粘着テープを鑑識用台紙のサイズに合わせて切断して使用するという方法がとられており、この事前準備作業も非常に時間と労力を要する仕事で、きわめて効率が悪かった。
【０００６】
なお、本出願人の知る限りにおいて、このような従来の問題点に着目・改良した先行技術はまだ存在しない。
【特許文献１】なし
【発明の開示】
【発明が解決しようとする課題】
【０００７】
この発明はかかる従来の問題点に鑑みてなされたものであって、その目的とするところは、所定の形状寸法の採取シールを多数枚貼着保持してなる採取テープが繰出し供給可能に装填されて、これらの採取シールに直接手を触れることなく鑑識対象物を採取することが可能な構造を備えた鑑識対象物の採取装置を提供することにある。
【０００８】
また、この発明の他の目的とするところは、上記採取装置を用いた鑑識対象物の採取方法を提供することにある。
【課題を解決するための手段】
【０００９】
上記目的を達成するため本発明の第１の採取装置は、犯罪現場における証拠物件を採取して科学的に鑑定する鑑識において、鑑識対象物を採取するものであって、片手による手持ち操作可能な装置ケース内に、採取シールを貼着保持してなる採取テープが繰出し供給可能に装填されるとともに、上記装置ケースの先端部に、上記採取テープの基材テープから上記採取シールを剥離供給する剥離ヘッドが設けられてなり、上記剥離ヘッドにより仮剥離状態で保持された採取シールの粘着面が、鑑識対象物を貼着採取する採取面として機能する構成とされていることを特徴とする。
【００１０】
好適な実施態様として、上記装置ケースの外部から手動で上記採取テープを繰出し操作するためのテープ繰出し手段を備え、このテープ繰出し手段の繰出し操作により、上記採取テープが所定量繰出されて、採取テープ上に貼着保持される最前部の採取シールが、上記剥離ヘッドにより一部剥離されて仮剥離状態で保持される。
【００１１】
また、本発明の第２の採取装置は、犯罪現場における証拠物件を採取して科学的に鑑定する鑑識において、鑑識対象物を採取するものであって、片手による手持ち操作可能な装置ケースと、この装置ケース内に回転可能に装着されて、採取シールを貼付保持してなる採取テープを巻装した繰出リールと、上記装置ケース内に回転可能に装着されて、使用後の上記採取テープを巻取り回収する巻取リールと、上記装置ケースの先端部分に配設されて、上記繰出リールから繰出される採取テープに貼付保持される上記採取シールを剥離供給する剥離ヘッドとを備えてなり、上記剥離ヘッドにより仮剥離状態で保持された採取シールの粘着面が、鑑識対象物を貼着採取する採取面として機能する構成とされていることを特徴とする。
【００１２】
好適な実施態様として、以下の構成が採用される。
（１）上記剥離ヘッドは、上記採取テープを採取物貼付用台紙上に加圧する直線状の先端加圧部を有する。
【００１３】
（２）上記装置ケースの外部から手動で上記採取テープを繰出し操作するためのテープ繰出し手段を備え、このテープ繰出し手段の繰出し操作により、上記繰出リール上の採取テープが所定量繰出されて、採取テープ上に貼着保持される最前部の採取シールが、上記剥離ヘッドにより一部剥離されて仮剥離状態で保持される。
【００１４】
（３）上記装置ケースは、上記繰出リールまたは巻取リールの一部が外部に臨む開口を備え、この開口が上記繰出リールまたは巻取リールを回転操作する操作窓として機能して、上記テープ繰出し手段が構成される。
【００１５】
（４）上記操作窓に、上記繰出リールまたは巻取リールの軸部が外部に臨むとともに、この操作窓から外部に望む上記軸部の部位に、操作ダイヤルと回転係合する係合部が設けられてなり、上記操作ダイヤルは、円板状の回転操作部と、この回転操作部の回転中心位置に一体的に設けられ、上記軸部の係合部に軸部と同軸状にかつ係脱可能に回転係合する回転軸とからなり、上記軸部に回転係合された上記操作ダイヤルの回転操作により、上記採取テープが装置ケースから繰出される構成とされる。
【００１６】
（５）上記操作窓に、上記繰出リールまたは巻取リールと一体に設けられた回転操作部が臨み、この回転操作部は、上記一体に設けられたリールと同心の円板状に形成された操作フランジの形態とされ、この操作フランジの回転操作により、上記採取テープが装置ケースから繰出される構成とされる。
【００１７】
（６）上記採取テープは、基材テープの表面に、多数の採取シールが所定間隔をもって剥離可能に貼着保持されてなり、この採取シールは、採取した鑑識対象物を貼着する鑑識用台紙の貼付面積に対応した形状寸法を有する矩形短冊状の粘着シールの形態とされる。
【００１８】
（７）上記採取シールは、透明性材料からなる本体シートの一部に感圧粘着剤層が一体的に積層形成されてなり、この感圧粘着材層部分が上記採取面を形成する。
【００１９】
（８）上記感圧接着剤層の粘着力は、上記基材テープに対する貼着保持力よりも大きく設定される。
【００２０】
（９）感圧粘着剤層からなる採取面とされるとともに、この採取面以外の部位が非粘着面とされる。
【００２１】
（１０）上記採取シールの一部に彩色が施されて、採取シールの所定部位を目視表示する目印マークが形成される。
【００２２】
（１１）上記採取シールの先端部位に上記目印マークが形成されて、採取シール先端部位を目視表示する構成とされる。
【００２３】
（１２）上記採取シールにおける上記非粘着面部位に上記目印マークが形成されて、非粘着面部位を目視表示する構成とされる。
【００２４】
また、本発明の採取テープは、上記鑑識対象物の採取装置に装填使用される採取テープであって、基材テープの表面に、多数の採取シールが所定間隔をもって剥離可能に貼着保持されてなり、この採取シールは、採取した鑑識対象物を貼着する鑑識用台紙の貼付面積に対応した形状寸法を有する矩形短冊状の粘着シールの形態とされていることを特徴とする。
【００２５】
好適な実施態様として、以下の構成が採用される。
（１）上記採取シールは、透明性材料からなる本体シートの一部に感圧粘着剤層が一体的に積層形成されてなるとともに、この感圧粘着材層部分が上記採取面を形成し、この採取シールが、上記基材テープの表面に、上記本体シートを介して剥離可能に貼着保持される。
【００２６】
（２）上記感圧接着剤層の粘着力は、上記基材テープに対する貼着保持力よりも大きく設定される。
【００２７】
（３）上記採取シールは、その先端縁から所定の長さ方向部位が、上記感圧粘着剤層からなる採取面とされるとともに、この採取面以外の部位が非粘着面とされる。
【００２８】
（４）上記採取シールの一部に彩色が施されて、採取シールの所定部位を目視表示する目印マークが形成される。
【００２９】
（５）上記採取シールの先端部位に上記目印マークが形成されて、採取シール先端部位を目視表示する構成とされる。
【００３０】
（６）上記採取シールにおける上記非粘着面部位に上記目印マークが形成されて、非粘着面部位を目視表示する構成とされる。
【００３１】
さらに、本発明の採取方法は、犯罪現場における証拠物件を採取して科学的に鑑定する鑑識において、上記採取装置により鑑識対象物を採取する方法であって、（Ａ）上記装置ケースから上記採取テープを繰出し供給して、この採取テープの最先端に貼着保持される採取シールを、上記剥離ヘッドにより仮剥離するとともに、この仮剥離状態のまま保持する工程と、（Ｂ）上記剥離ヘッドに仮剥離状態で保持された採取シールの採取面により、鑑識対象物を貼着して採取する工程と、（Ｃ）上記採取テープ上の鑑識対象物を貼着採取した採取シールを、上記採取テープから剥離して、採取物貼付用台紙上に位置決めしながら貼付して、この採取シールにより上記鑑識対象物を採取物貼付用台紙上に貼着固定する工程とを備えてなることを特徴とする。
【００３２】
好適な実施態様として、以下の構成が採用される。
（１）上記採取シールが上記剥離ヘッドに仮剥離状態で保持されたとき、上記採取シールの採取面が上記剥離ヘッドの先端縁から前方に突出している。
【００３３】
（２）上記剥離ヘッドは、上記採取テープを採取物貼付用台紙上に加圧する直線状の先端加圧部を有し、上記（Ｃ）の工程において、上記採取シールの採取面により鑑識対象物を貼着して採取した後、上記剥離ヘッドの先端加圧部により、上記採取テープ上の鑑識対象物を貼着採取した採取シールを採取物貼付用台紙上に位置決めしながら加圧して、上記採取シールを採取物貼付用台紙に転写貼付するとともに、上記採取物貼付用台紙上の上記採取シールの表面を手指にて押圧して、この採取シールにより上記鑑識対象物を採取物貼付用台紙上に貼着固定する。
【００３４】
（３）上記剥離ヘッドの先端加圧部により、上記採取シールを採取物貼付用台紙上に加圧して転写貼付するに際して、上記採取シールの採取面の粘着力を利用する。
【００３５】
（４）上記採取装置は、上記装置ケースの外部から手動で上記採取テープを繰出し操作するためのテープ繰出し手段を備え、上記（Ａ）の工程において、上記テープ繰出し手段の繰出し操作により、上記繰出リール上の採取テープを所定量繰出して、採取テープ上に貼着保持される最前部の採取シールを、上記剥離ヘッドにより一部剥離させて仮剥離状態で保持する。
【００３６】
（５）上記採取装置は、上記装置ケース内に、採取シールを貼付保持してなる採取テープを巻装した繰出リールと、使用後の上記採取テープを巻取り回収する巻取リールとが回転可能に装着されてなるとともに、上記装置ケースに、上記繰出リールまたは巻取リールの一部が外部に臨む開口を備え、この開口が上記繰出リールまたは巻取リールを回転操作する操作窓として機能して、上記テープ繰出し手段が構成され、上記（Ａ）の工程において、上記操作窓を介して上記繰出リールまたは巻取リールを回転操作することにより、上記繰出リール上の採取テープを所定量繰出して、採取テープ上に貼着保持される最前部の採取シールを、上記剥離ヘッドにより一部剥離させて仮剥離状態で保持する。
【００３７】
（６）上記操作窓に、上記繰出リールまたは巻取リールの軸部が外部に臨むとともに、この操作窓から外部に望む上記軸部の部位に、操作ダイヤルと係脱可能に回転係合する係合部が設けられてなり、上記（Ａ）の工程において、上記操作ダイヤルを上記軸部に回転係合させた状態で、この操作ダイヤルを回転操作することにより、上記採取テープを装置ケースから繰出し供給する。
【００３８】
（７）上記操作窓に、上記繰出リールまたは巻取リールと一体に設けられた回転操作部が臨み、この回転操作部は、上記一体に設けられたリールと同心の円板状に形成された操作フランジの形態とされ、上記（Ａ）の工程において、上記操作フランジを回転操作することにより、上記採取テープを装置ケースから繰出し供給する。
【００３９】
（８）上記採取シールは、その先端部位に彩色が施されて、採取シール先端部位を目視表示する目印マークが形成され、上記（Ａ）の工程において、上記採取シール先端部位の目印マークを、上記採取テープを装置ケースから繰出し供給する際の目印とする。
【００４０】
（９）上記採取シールは、その先端縁から所定の長さ方向部位が、上記感圧粘着剤層からなる採取面とされるとともに、この採取面以外の部位が非粘着面とされてなり、上記（Ｃ）の工程により上記鑑識対象物を採取物貼付用台紙上に貼着固定した後、上記採取シールの非粘着面部位を手指にて摘んで採取シールを上記採取物貼付用台紙から剥離させることにより、上記鑑識対象物を他の採取物貼付用台紙に移転貼着固定する。
【発明の効果】
【００４１】
本発明の採取装置によれば、片手による手持ち操作可能な装置ケース内に、採取シールを貼着保持してなる採取テープが繰出し供給可能に装填されるとともに、上記装置ケースの先端部に、上記採取テープの基材テープから上記採取シールを剥離供給する剥離ヘッドが設けられてなり、上記剥離ヘッドにより仮剥離状態で保持された採取シールの粘着面が、鑑識対象物を貼着採取する採取面として機能する構成とされているから、繰出し供給される上記採取テープの最先端に貼着保持される採取シールを、上記剥離ヘッドにより仮剥離した状態のまま保持して、この採取シールの採取面により鑑識対象物例えば毛髪を貼着して採取することができる。
【００４２】
したがって、鑑識係官等の作業者は、採取シールに直接手を触れることなく鑑識対象物である毛髪を採取することができ、その取り扱いが簡単容易であるとともに、採取シールの採取面に採取対象物である毛髪以外の、例えば作業者の手指の付着物や汗、油等の鑑識作業に弊害となる物が付着する可能性が低く、高精度な鑑識を行うことができる。
【００４３】
また、上記採取テープが、基材テープの表面に、多数の採取シールが所定間隔をもって剥離可能に貼着保持されてなり、この採取シールが、採取した鑑識対象物を貼着する鑑識用台紙例えば台紙の貼付面積に対応した形状寸法を有する矩形短冊状の粘着シールの形態とされることにより、従来のような、鑑識係官等の作業者による鑑識用粘着テープの事前準備作業がまったく不要で、仕事効率が良く、また、採取テープは装置ケース内に装填されているので、持ち運びや取り扱いが容易で、採取テープの採取面も有効に保護され得る。
【発明を実施するための最良の形態】
【００４４】
以下、本発明の実施形態を図面に基づいて詳細に説明する。なお、図面全体にわたって同一の符号は同一の構成部材または要素を示している。
【００４５】
本実施例に係る鑑識対象物の採取装置が図１〜図７に示されており、この採取装置１は、具体的には、犯罪現場における証拠物件を採取して科学的に鑑定する鑑識において、毛髪、指紋、血痕、筆跡等の鑑識対象物Ｏを採取するものであって、図１に示すような外観形状を呈する装置ケース２内に、採取シールＳを貼着保持してなる採取テープＴが繰出し供給可能に装填されるとともに、装置ケース２の先端部２ａに、上記採取シールＳを剥離供給する剥離ヘッドＨが設けられてなる。
【００４６】
図示の採取装置１は、装置ケース２内に、採取テープＴを巻装した繰出リール５と、使用後の採取テープＴ´を巻取り回収する巻取リール６とが回転可能に設けられるとともに、装置ケース２の先端部分に、上記剥離ヘッドＨが設けられてなる。
【００４７】
装置ケース２は片手による手持ち操作可能な形状寸法を備え、具体的には、図１および図２に示すように、上記繰出リール５および巻取リール６を内装し得る正面輪郭形状寸法と幅寸法を備えるほぼ直方体形状とされている。この装置ケース２は、射出成形等により一体成形されたケース本体７とキャップ本体８からなる二分割構造のプラスチック製のものであって、装置ケース２の先端部２ａには、剥離ヘッドＨを内外に挿通するヘッド挿通開口９が開設されるとともに、この剥離ヘッドＨを被覆保護する保護キャップ１０が取外し可能に嵌着される構造とされている。
【００４８】
上記繰出リール５および巻取リール６は、装置ケース２のケース本体７に回転可能に装着されるとともに、これら両者にはテープ連動手段である環状ゴム部材１１が弾発的に巻き掛けられて、両リール５、６が連動回転するように構成されている。
【００４９】
また、これに関連して、装置ケース２は、上記繰出リール５または巻取リール６の一部が外部に臨む開口２ｂを備える。この開口２ｂは、上記繰出リール５または巻取リール６を回転操作する操作窓として機能して、装置ケース２の外部から手動で採取テープＴを繰出し操作するためのテープ繰出し手段を構成する。
【００５０】
この操作窓２ｂは、具体的には、後述する操作ダイヤル１２の接続用開口とされ、図示の実施形態においては、繰出リール５の軸部５ａに対応して設けられている。これにより、繰出リール５の軸部５ａが操作窓２ｂを介して装置ケース２の外部に臨んでおり、後述するように、上記操作ダイヤル１２がこの軸部５ａに回転係合可能することで、手動による繰出し操作が可能な構造とされている。
【００５１】
繰出リール５に巻装された採取テープＴは、図２（ｂ）に示すように、ケース本体７に起立状に設けられた案内ピン１３、１４を介して、上記剥離ヘッドＨに導かれ、この剥離ヘッドＨの先端縁Ｈａで折り返された後、ケース本体７に起立状に設けられた案内ピン１５を介して、上記巻取リール６に巻回されている。
【００５２】
剥離ヘッドＨは、上記繰出リール５から繰り出される採取テープＴを案内するとともに、この採取テープＴ上の採取シールＳを剥離供給する剥離機能、この採取シールＳを仮剥離状態で保持する機能、採取シールＳを採取物貼付用台紙Ｐ（図７（ｄ）、（ｅ）参照）上に位置決めする機能、および採取シールＳを上記採取物貼付用台紙Ｐ上に加圧転写する機能（選択的機能）を兼備するもので、上記装置ケース２の先端部２ａに設けられている。
【００５３】
剥離ヘッドＨの具体的構造は、図２〜図４に示されるように、ヘッド本体２０の両側縁に、採取テープＴの走行を案内するガイドフランジ２１、２１が形成されてなり、その基部が装置ケース２に取付け固定されている。
【００５４】
ヘッド本体２０は、上記３つ（または４つ）の機能を有効に発揮するのに適した形状とされ、具体的には、その先端がある程度尖ったいわゆる尖頭形とされて、これにより剥離ヘッドＨが尖頭形ヘッドの形態とされている。
【００５５】
図示の実施例のヘッド本体２０は、採取テープＴよりも若干幅広の矩形状を有する薄肉の板状体とされるとともに、側面から見てある程度尖った形状、つまり先端に向けて次第に薄くなるような先細形状断面、より具体的には下側面２ａが先端に向けて上方へ傾斜した先細形状断面を有してなる。
【００５６】
ヘッド本体２０は、その平坦な上下両側面２０ａ、２０ｂがテープ走行面を形成するとともに、その先端縁が剥離ヘッドＨの先端縁Ｈａを形成している。この先端縁Ｈａは、採取テープＴを折返し案内して採取シールＳの剥離機能（図３（ａ）参照）を発揮するとともに、採取テープＴを採取物貼付用台紙Ｐ上に加圧する先端加圧部としての機能を兼備し、この目的のため、先端加圧部Ｈａは、上記テープ走行面２０ａ、２０ｂにおけるテープ走行方向に直交する直線縁の形態とされている。また、ヘッド本体２０の両側縁には、上述したようにガイドフランジ２１、２１が形成されており、これにより、採取テープＴは、これらガイドフランジ２１、２１により案内されながら、上記テープ走行面２０ａ、２０ｂ上を走行することになる。
【００５７】
なお、ヘッド本体２０自体の材質特性は、その先端加圧部Ｈａによる採取テープＴの加圧作用も考慮して設定されるのが望ましく、目的に応じて弾性ヘッドの形態または硬質ヘッドの形態のいずれも採用可能である。
【００５８】
採取テープＴは、採取シールＳを連続供給するもので、基材テープ２５の表面に、多数の感圧粘着性を有する採取シールＳ、Ｓ、…が所定間隔をもって剥離可能に貼着保持されている。
【００５９】
図示の実施例においては、採取テープＴは、図５に示すような断面構造を有し、基材テープ２５の表面（図５（ｂ）および図５（ｃ）においては下面）側に、多数の採取シールＳ、Ｓ、…が剥離可能に粘着保持されてなる。なお、図面は理解を容易にすることを主眼として、模式的にかつ厚さ方向に大幅に拡大して描かれているが、実際には、採取テープＴの厚さは薄肉のフィルム状のもので、かつ各層の境界も図示のものほど明確ではない。
【００６０】
基材テープ２５は、採取シールＳが剥離ヘッドＨにより剥離されるまでの間の支持基材として機能するものであって、ポリエチレンテレフタレート（ＰＥＴ）、ポリブチレンテレフタレート（ＰＢＴ）、ポリエチレン、ポリプロピレンなどのプラスチック材料や、あるいは紙材料等からなるフィルム状テープの形態とされ、伸縮のない可撓性フィルムが好適に採用される。基材テープ２５の厚さ寸法ｔ25は、約６〜３８μｍに設定される。
【００６１】
図示の実施形態の基材テープ２５は、ポリエチレンテレフタレートフィルムからなり、その厚さ寸法ｔ25が１２μｍで、またその幅寸法Ｗ25が１０ｍｍに設定されている。
【００６２】
また、基材テープ２５の表面には、軽粘着処理層２６が形成された表面処理が施されるとともに、基材テープ２５の裏面には、剥離処理層２７が形成された表面処理が施されている。
【００６３】
軽粘着処理層２６は、上記支持基材としての機能を担保するもので、より具体的には、採取テープＴの保存時において、基材テープ２５に対して採取シールＳを安定的に貼着固定するとともに、採取シール剥離時において、採取シールＳが基材テープ２５から容易に剥離できるようにするためのものである。この軽粘着処理層２６の構成材料としては、アクリル系粘着剤等の軽粘着剤組成物が好適に使用され、例えば、この軽粘着剤塑性物が基材テープ２５に塗布後乾燥処理され、あるいはサンドブラスト加工により表面処理されることで、軽粘着処理層２６が形成される。図示の実施形態の軽粘着処理層２６は、その厚さ寸法ｔ25が１３μｍに設定されている。
【００６４】
剥離処理層２７は、重なり合う隣接の層または材料との分離または剥離性を付与するもので、より具体的には、採取テープＴをロールに巻いて保存する際に、採取シールＳとの粘着を防止するとともに、採取シールＳが基材テープ２５から容易に剥離して転写されるようにするためのものである。この剥離処理層２７の構成材料としては、シリコーン系離型剤、フッ素系離型剤等の離型剤が好適に使用され、例えば、この離型剤が基材テープ２５に塗布後乾燥処理されることで、剥離処理層２７が形成される。
【００６５】
採取シールＳは、矩形短冊状の粘着シールの形態とされてなり、具体的には、採取した鑑識対象物Ｏを貼着する採取物貼付用台紙Ｐの貼付面積に対応した形状寸法を有する矩形短冊状に形成されている。
【００６６】
図示の実施形態における採取シールＳの形状寸法は、厚さ寸法ｔSが５３．５μｍ、長さ寸法LSが２０ｍｍ、幅寸法ＷSが４ｍｍに設定されている。
【００６７】
採取シールＳの構成は、図５に示すように、本体シート２８の一部に感圧粘着剤層２９が一体的に積層形成されてなるとともに、この感圧粘着剤層２９の部分が後述する採取シールＳの採取面Ｓａを形成している。
【００６８】
本体シート２８は、採取シールＳの表面を形成する表面層３０と、目印用のマークが形成されたマーク層３１とが一体的に積層形成されてなる。
【００６９】
表面層３０は、図示の実施例においては、採取シールＳにシール体としての特性を付与するとともに、転写後に採取シールＳの表面層を形成するものである。
【００７０】
この表面層３０の構成材料としては、シール体としての強靭性を保持し得るとともに、透視可能な透明性を有する一種以上の合成樹脂または天然樹脂材料、あるいはこれら樹脂材料または紙材料等からなる極薄フィルムが好適に使用され、より好ましくは、ポリエチレンテレフタレート（ＰＥＴ）フィルム、あるいは、ゴム状樹脂とガラス状樹脂との樹脂混合物フィルムが使用される。このようにゴム状樹脂とガラス状樹脂とを併用することにより、シール体としての特性を表面層３０に付与することができる。
【００７１】
上記ゴム状樹脂としては、スチレン−ブタジエン−スチレンブロック共重合体（ＳＢＳ）、スチレン−エチレン−ブチレン−スチレンブロック共重合体（ＳＥＢＳ）、スチレン−ブタジエンゴム、スチレン−イソプレン−スチレンブロック共重合体（ＳＩＳ）、スチレン−エチレン／プロピレンブロック共重合体（ＳＥＰ）、ウレタンゴム、フッ素ゴム、アクリロニトリル‐ブタジエンゴム、エチレン‐酢酸ビニル共重合体、エチレン‐エチルアクリレート共重合体、クロロスルホン化ポリエチレン、環化ゴムなど通常の合成ゴムないしゴム状樹脂などの１種または２種以上があげられる。なお、可塑剤を必要に応じて併用してもよい。
【００７２】
上記ガラス状樹脂としては、融点又は軟化点が１００℃以上で、高い硬度を有するものが好ましく、例えば、飽和または不飽和の脂環式炭化水素系樹脂、スチレン−アクリル系共重合体樹脂、ケトン樹脂、塩化ビニル−酢酸ビニル共重合体樹脂、またはポリエチレン、ポリプロピレン等のポリオレフィン樹脂などを使用することができる。
【００７３】
また、表面層３０に光拡散剤や着色剤（顔料や染料）を配合し、表面層３０を半透明化もしくは着色してもよいが、表面層３０全体として無色透明であることが、鑑識対象物Ｏを貼着採取する際の視認性およびマーク層３１の視認性を確保する意味からも好ましい。
【００７４】
この表面層３０の層厚は、２５〜５０μｍに設定される。表面層３０の層厚がこのような範囲に設定されるのは、適度な厚みがないと（２５μｍより薄いと）、採取シールＳに腰がなく、後述するように、採取テープＴが剥離ヘッドＨの先端縁Ｈａで折り返し案内される際の、採取シールＳ自体の平板状態への弾性復帰作用が不十分となり、基材テープ２５からの剥離が確実に行われず、また、シール体としての特性も十分に付与することができず、鑑識対象物Ｏを貼着採取する際に軟らか過ぎて作業性が悪いからである。一方、表面層３０の層厚が５０μｍより大きくなると（厚みが有り過ぎると）、採取シールＳの腰が強過ぎて、しかも採取テープＴ自体の厚みが増してしまい、採取テープＴの繰出リール５への巻装が困難になる。図示の実施形態の表面層３０の層厚は３８μｍに設定されている。
【００７５】
マーク層３１は採取シールＳの目印マークを形成する層であり、具体的には、採取シールＳの一部に彩色が施されて、採取シールＳの所定部位を目視表示する目印マークが形成される。図示の実施例においては、二つの目印マークＭａ、Ｍｂを形成されている。
【００７６】
一方の目印マークＭａは、採取シールＳの先端部位に形成されて、採取シールＳの先端部位を目視表示するとともに、他方の目印マークＭｂは、採取シールＳにおける後述する非粘着面部位に形成されて、非粘着面部位を目視表示する構成とされる。
【００７７】
マーク層３１は、具体的には上記表面層３０上に従来公知の印刷技術により形成されている。このマーク層３１の印刷方法としては、従来公知の各種印刷技術、具体的には、活版（凸版）印刷、オフセット印刷、グラビア（凹版）印刷、シルクスクリーン印刷、タンポ印刷等の伝統的な印刷技術をはじめ、リバースロールコート、ダイレクトコート等の各種コーター、スプレー塗装、静電塗装、流し塗り、ローラー塗り、浸漬塗装等、さらに、レーザプリンタ方式、熱転写方式、インクジェットプリンタ方式等の新印刷技術も採用可能で、形成対象部分（図示の場合は上記表面層３０）の性状等に対応して適宜選択採用される。また、マーク層形成用インクとしては、樹脂と着色剤を必要に応じて溶媒中に溶解または分散されてなるものが使用される。
【００７８】
上記樹脂としては、上述したゴム状樹脂を好ましく挙げることができ、つまり、スチレン−ブタジエン−スチレンブロック共重合体（ＳＢＳ）、スチレン−エチレン−ブチレン−スチレンブロック共重合体（ＳＥＢＳ）、スチレン−ブタジエンゴム、スチレン−イソプレン−スチレンブロック共重合体（ＳＩＳ）、スチレン−エチレン／プロピレンブロック共重合体（ＳＥＰ）、ウレタンゴム、フッ素ゴム、アクリロニトリル‐ブタジエンゴム、エチレン‐酢酸ビニル共重合体、エチレン‐エチルアクリレート共重合体、クロロスルホン化ポリエチレン、環化ゴムなど通常の合成ゴムないしゴム状樹脂などの１種または２種以上があげられる。可塑剤を必要に応じて併用してもよい。
【００７９】
また、上記着色剤としては、一般的な印刷インキに用いられている公知の着色剤を適宜使用することができる。
【００８０】
そして、このような印刷層形成用インクを、上記表面層３０上に印刷した後乾燥することにより、上記マーク層３１が形成される。なお、マーク層３１の印刷箇所は、図示のように上記表面層３０の裏面側（図５（ｂ）および図５（ｃ）において下面側）でも、表面側でも良い。また、マーク層３１の層厚は、通常０．１〜５μｍであり、図示の実施形態においては０．５μｍとされている。
【００８１】
感圧粘着剤層２９は、採取シールＳに、その本来的機能である鑑識対象物Ｏを貼着採取する機能と、この採取した鑑識対象物Ｏを採取物貼付用台紙Ｐ上に貼着固定する機能を付与するものであり、上記本体シート２８の一部、具体的には、その先端縁から所定の長さ方向部位に上記感圧粘着剤層２９が形成されて、採取シールＳの採取面Ｓａが形成される。
【００８２】
図示の実施形態においては、図５（ａ）および（ｂ）に示すように、本体シート２８の長さ方向において、その先端から２／３の長さ範囲L1（＝１４ｍｍ）に上記感圧粘着剤層２９が積層形成されている。これにより、採取シールＳは、この感圧粘着剤層２９部分が採取シールＳの採取面Ｓａを形成するとともに、この採取面Ｓａよりも後側部分（感圧粘着剤層２９の後端から採取シールＳの後端まで）が感圧粘着剤層２９のない非粘着面Ｓｂとされている。
【００８３】
これに関連して、採取シールＳの先端部位に形成される上記目印マークＭａは、採取シールＳの先端からＬ2＝１ｍｍの範囲に、また、採取シールＳにおける後述する非粘着面部位に形成される上記目印マークＭｂは、採取シールＳの後端からＬ3＝６ｍｍの範囲（非粘着面Ｓｂ部位）にそれぞれ形成されている。
【００８４】
上記感圧粘着剤層２９を構成する粘着剤としては、好ましくはゴム系粘着剤やアクリル系粘着剤等の従来公知の粘着剤が使用され、例えば、天然ゴム、イソプレンゴム、スチレンブタジエンゴム等に、粘着付与剤（ロジン系樹脂、テルペン系樹脂、テルペンフェノール系樹脂等）を配合したゴム系粘着剤や（メタ）アクリル系エステルを主成分とするアクリル系粘着剤が使用される。
【００８５】
そして、この粘着剤を、従来公知の手法で上記マーク層３１が設けられた表面層３０上に塗工することにより、上記感圧粘着剤層２９が本体シート２８に一体的に積層形成されて、採取シールＳの採取面Ｓａが形成される。感圧粘着剤層２９の層厚は、通常１０〜２０μｍに設定され、図示の実施形態においては１５μｍに設定されている。
【００８６】
また、感圧粘着剤層２９の粘着力は、採取シールＳの基材テープ２５に対する貼着保持力よりも大きく設定されている。具体的な感圧粘着剤層２９の粘着力は、上記条件を満たす範囲内で、採取すべき鑑識対象物Ｏの種類に対応して適宜設定される。例えば、鑑識対象物Ｏが毛髪である場合、感圧粘着剤層２９は、その粘着力が６５０ｇ／２５ｍｍで、その傾斜式ボールタックが８ボールタック（いずれもＪＩＳ  Ｚ  ０２３７に準ずる）に設定されている。
【００８７】
このような積層構造とされた採取シールＳは、図５（ａ）〜図５（ｃ）に示すように、基材テープ２５の剥離処理された表面（図５（ｂ）および図５（ｃ）において、剥離処理層２７が形成された下面）に、所定間隔Iをもって上記本体シート２８の表面層３０を介して剥離可能に粘着保持されている。換言すれば、採取シールＳは、その採取面Ｓａを外側にした状態で、上記基材テープ２５に剥離可能に粘着保持される。図示の実施形態においては、上記所定間隔Ｉは７ｍｍに設定されている。
【００８８】
以上のように構成された採取テープＴは、上記採取シールＳ、Ｓ、…が貼着保持された側の面を外側にして繰出リール５に巻装されており、この繰出リール５から繰出された採取テープＴは、そのままの状態で上記案内ピン１３、１４を介して上記剥離ヘッドＨに導かれ、この剥離ヘッドＨの先端加圧部Ｈａで折り返された後に、上記案内ピン１５を介して上記巻取リール６に巻回されている。
【００８９】
そして、採取テープＴが上記剥離ヘッドＨの先端縁Ｈａを通過して折り返し案内される際に、採取テープＴの基材テープ２５上に貼着保持される採取シールＳがそれ自体の平板状態への弾性復帰作用により上記基材テープ２５から剥離されるのであるが、採取シールＳが基材テープ２５から完全に剥離する前の仮剥離状態において、採取シールＳは、図４に示すごとく剥離ヘッドＨにより保持されることとなり、この仮剥離状態において、採取シールＳの粘着面つまり採取面Ｓａが図示のごとく下側を向いて、鑑識対象物Ｏを貼着採取するのに適した姿勢になる。
【００９０】
また、採取シールＳは、基材テープ２５と共に繰出リール５に巻装されていることから、基材テープ２５から剥離しても図示のごとく若干の巻き癖が残っていて完全には平板状態に復帰しないが、この円弧状に湾曲した状態は、むしろ鑑識対象物Ｏを貼着採取するのに適した姿勢となり、好適である。
【００９１】
上記操作ダイヤル１２は、採取装置１の構成部品として、装置ケース２の外部から手動で採取テープＴを繰出し操作するためのテープ繰出し手段を構成するものであるが、装置本体（装置ケース２）とは別体品とされており、鑑識対象物Ｏの採取時にこの装置本体と組み合わせて使用される構成とされている。
【００９２】
操作ダイヤル１２は、図６に示すように、回転操作部４０と回転軸４１とからなる一体成形品である。
【００９３】
回転操作部４０は、図示のごとく円板状のもので、その外周部を手指にて掴んで回転操作可能な形状寸法とされている。また、回転軸４１は、上記回転操作部４０の回転中心位置に垂直状にかつ一体的に設けられるとともに、装置ケース２の操作窓２ｂを介して外部に臨む繰出リール５の軸部５ａに、回転係合する構造とされている。
【００９４】
すなわち、上記回転軸４１は、上記繰出リール５の軸部５ａの中心穴４５に挿入可能な径寸法および長さ寸法を有するとともに、回転軸４１の基端部つまり回転操作部４０との境界部に係合凸部４２が設けられてなる。これに対応して、上記操作窓２ｂから外部に望む上記軸部５ａの部位、つまり軸部５ａの端面には、図示のごとく一直径線上に延びる係合凹部４６が設けられ、この係合凹部４６に上記係合凸部４２が係合可能とされている。
【００９５】
そして、操作ダイヤル１２の回転軸４１を上記繰出リール５の軸部５ａの中心穴４５に挿入させるとともに、上記係合凸部４２を上記軸部５ａの係合凹部４６に係合させることで、操作ダイヤル１２は繰出リール５と同軸状に一体結合（回転係合）される。よって、この操作ダイヤル１２を繰出し方向Ｘへ回転操作することにより、繰出リール５が回転して、繰出リール５上の採取テープＴが装置ケース２から繰出されることとなる。
【００９６】
このように操作ダイヤル１２を装置本体（装置ケース２）と分離可能な別体品とすることにより、鑑識対象物Ｏの採取装置１としての携帯利便性と、操作ダイヤル１２を複数の採取装置１、１、…に共用できる利便性、さらには使いきりの消耗品である装置本体（装置ケース２）に対して、繰返し使用可能な経済性を確保することが可能となる。
【００９７】
しかして、以上のように構成された採取装置１により、犯罪現場における証拠物件である鑑識対象物Ｏを採取する方法を以下に説明する（図７参照）。ここでは、鑑識対象物Ｏとして人体の毛髪を例にとる。
【００９８】
（１）分離携帯と組合せ使用：
事件現場への移動の際など、採取装置１の携帯時（不使用時）には、図７（ａ）の左図のように、装置本体（装置ケース２）と操作ダイヤル１２を分離することで嵩張らず、また事件現場での毛髪Ｏの採取時には、図７（ａ）の右図のように、装置本体（装置ケース２）の繰出リール５に、操作ダイヤル１２を回転係合させて組み合わせて、採取装置１を完成させ、この完成状態で使用する。
【００９９】
（２）毛髪Ｏの採取準備：
図７（ｂ）の左図に示すように、手指により操作ダイヤル１２を繰出し方向Ｘへ回転操作することにより、採取テープＴを装置ケース２から所定量繰出し供給して、この採取テープＴの最先端に貼着保持される採取シールＳを、図７（ｂ）の右図に示すように、剥離ヘッドＨの先端縁Ｈａにより一部だけ剥離させて仮剥離状態とするとともに、この仮剥離状態のまま保持させる。この仮剥離状態において、採取シールＳの採取面Ｓａが、図示のごとく剥離ヘッドＨの先端縁Ｈａから前方に突出するとともに下側を向いて、毛髪Ｏを貼着採取するのに適した姿勢となる。
【０１００】
また、採取シールＳが剥離された使用後の採取テープＴつまり基材テープ２５は巻取リール６に巻取り回収される。
【０１０１】
なお、上記繰出し操作の際、採取シールＳの先端部位が目印マークＭａにより目視表示されているので、この目印マークＭａを目印として、さらにはこの目印マークＭａに続く透明な採取面Ｓａ部位を見ながら、剥離ヘッドＨの先端縁Ｈａからの採取シールＳの張出し長さ、つまり採取面Ｓａの張出し長さを適宜調整する。
【０１０２】
（３）毛髪Ｏの貼着採取：
採取シールＳが剥離ヘッドＨに仮剥離状態で保持された状態で、装置ケース２を手指にて持って、採取シールＳの採取面Ｓａにより、毛髪Ｏを貼着して採取する（図７（ｃ）参照）。
【０１０３】
この際、採取シールＳの採取面Ｓａが透明であることから、採取対象物である毛髪Ｏを採取シールＳの上側から目視にて確認でき、これにより毛髪Ｏに対する採取シールＳの採取面Ｓａの位置決めおよび貼着採取作業が容易かつ確実に行うことができる。
【０１０４】
（４）毛髪Ｏの貼着固定：
毛髪Ｏを貼着採取した仮剥離状態の採取シールＳを、上記採取テープＴから剥離して、採取物貼付用台紙Ｐ上に位置決めしながら貼付して、この採取シールＳにより上記毛髪Ｏを採取物貼付用台紙Ｐ上に貼着固定する（図７（ｄ）参照）。
【０１０５】
上記採取シールＳの採取テープＴからの剥離作業は、手指により直接行う他、手指により操作ダイヤル１２を回転操作して、剥離ヘッドＨの先端縁Ｈａによる剥離作用を利用して行う。
【０１０６】
また、採取シールＳの採取物貼付用台紙Ｐ上への貼付固定作業は、図７（ｄ）の左図に示すように、手指により採取シールＳの採取面Ｓａの表面を押圧して行うが、その前提となる採取シールＳの採取物貼付用台紙Ｐ上への位置決め作業は、そのまま手指にて直接行う他、剥離ヘッドＨの先端縁Ｈａを先端加圧部として利用して、剥離ヘッドＨに仮剥離状態の採取シールＳを採取物貼付用台紙Ｐ上に位置決めする(図示省略)。
【０１０７】
さらに、上記（２）の採取準備に際して、採取シールＳの採取面Ｓａが先端縁Ｈａに対応位置する仮剥離状態で保持させておけば、採取シールＳを採取物貼付用台紙Ｐ上に位置決め貼付する際に、剥離ヘッドＨの先端縁Ｈａを先端加圧部として利用することで、採取シールＳの採取物貼付用台紙Ｐへの位置決め貼付に採取面Ｓａの粘着力を利用しての転写貼付が可能となる。
【０１０８】
（５）毛髪Ｏの移転貼着：
図示の実施形態の採取シールＳは、上記採取面Ｓａ以外の部位が非粘着面Ｓｂとされているので、上記（４）の貼着固定作業により毛髪Ｏを一旦採取物貼付用台紙Ｐ上に貼着固定した後に、他の採取物貼付用台紙（図示省略）に移転貼着固定する際も、図７（ｅ）に示すように、上記採取シールＳの非粘着面Ｓｂ部位を手指にて摘んで持ち上げることで、採取シールＳを上記採取物貼付用台紙Ｐから容易に剥がすことができ、これにより、毛髪Ｏの他の採取物貼付用台紙への移転貼着固定や上記採取物貼付用台紙Ｐに対する貼り直しが容易かつ迅速に行える。
【０１０９】
なお、上記移転貼着または貼り直しの際、採取シールＳの非粘着面Ｓｂ部位が目印マークＭｂにより目視表示されているので、この目印マークＭｂを目印として、非粘着面Ｓｂ部位を手指にて摘むことができる。
【０１１０】
以上詳述したように、本実施形態の採取装置１によれば、片手による手持ち操作可能な装置ケース２内に、採取シールＳ、Ｓ、…を貼着保持してなる採取テープＴが繰出し供給可能に装填されるとともに、上記装置ケース２の先端部２ａに、上記採取テープＴの基材テープ２５から採取シールＳを剥離供給する剥離ヘッドＨが設けられてなり、この剥離ヘッドＨにより仮剥離状態で保持された採取シールＳの粘着面Ｓａが、毛髪（鑑識対象物）Ｏを貼着採取する採取面として機能する構成とされているから、繰出し供給される上記採取テープＴの最先端に貼着保持される採取シールＳを、上記剥離ヘッドＨにより仮剥離した状態のまま保持して、この採取シールＳの採取面Ｓａにより毛髪Ｏを貼着して採取することができる。
【０１１１】
したがって、鑑識係官等の作業者は、採取シールＳに直接手を触れることなく鑑識対象物である毛髪Ｏを採取することができ、その取り扱いが簡単容易であるとともに、採取シールＳの採取面Ｓａに採取対象物である毛髪Ｏ以外の、例えば作業者の手指の付着物や汗、油等の鑑識作業に弊害となる物が付着する可能性が低く、高精度な鑑識を行うことができる。
【０１１２】
また、上記採取テープＳが、基材テープ２５の表面に、多数の採取シールＳ、Ｓ、…が所定間隔をもって剥離可能に貼着保持されてなり、この採取シールＳが、採取した毛髪Ｏを貼着する採取物貼付用台紙（鑑識用台紙）Ｐ、例えば台紙の貼付面積に対応した形状寸法を有する矩形短冊状の粘着シールＳの形態とされることにより、従来のような、鑑識係官等の作業者による鑑識用粘着テープの事前準備作業がまったく不要で、仕事効率が良く、また、採取テープＴは装置ケース２内に装填されているので、持ち運びや取り扱いが容易で、採取シールＳの採取面Ｓａも有効に保護され得る。
【０１１３】
実施形態２
本実施形態は図８に示されており、実施形態１における採取テープTを装置ケース２から繰り出すためのテープ繰出し手段の構造が改変されたものである。
【０１１４】
すなわち、本実施形態の装置ケース２においては、操作窓２ｂが装置ケース２の頂部、より具体的には、キャップ本体８の頂部における繰出リール５の配設位置に上向き開放状に設けられて、テープ繰出し手段が構成されている。
【０１１５】
これに対応して、繰出リール５における環状ゴム部材１１の巻き掛け部位の外側位置に回転操作部５０が一体形成されてなり、この回転操作部５０は、繰出リール５と同心の円板状に形成された操作フランジの形態とされ、上記操作窓２ｂと協働して、テープ繰出し手段を構成している。この操作フランジ５０の外周部５０ａは、上記操作窓２ｂから装置ケース２の外部に臨んでおり、手指により操作窓２ｂを介して操作フランジ５０を直接回転操作することができる構成とされている。この目的のため、操作フランジ５０の外周には、滑り止め用のセレーション５１が形成されている。
【０１１６】
しかして、以上のように構成された採取装置１においては、実施形態１のような操作ダイヤル１２が不要なため、事件現場への移動の際など、採取装置１のみ携帯すればよく、操作ダイヤル１２の破損、紛失等による使用困難な状況は生じない。
【０１１７】
また、採取装置１の使用に際しても、手指により操作フランジ５０を繰出し方向Ｘへ回転操作することにより、採取テープＴを装置ケース２から所定量繰出し供給して、この採取テープＴの最先端に貼着保持される採取シールＳを、剥離ヘッドＨの先端縁Ｈａにより一部剥離した仮剥離状態とさせることができる。
その他の構成および作用は実施形態１と同様である。
【０１１８】
なお、上述した実施形態はあくまでも本発明の好適な実施態様を示すものであって、本発明はこれに限定されることなく、その範囲内で種々の設計変更が可能である。
【０１１９】
例えば、剥離ヘッドＨや、採取テープＴあるいは採取シールＳなどの具体的な構造は、前述した実施形態１および２のものに限定されず、同様な機能を有する範囲内において種々設計変更可能である。
【０１２０】
また、図示の実施形態１および２のいずれにおいても、採取テープＴを繰出し操作するためのテープ繰出し手段が繰出リール５側に設けられているが、巻取リール６側に設けられても良い。
【図面の簡単な説明】
【０１２１】
【図１】本発明の実施形態１である鑑識対象物の採取装置の全体構成を示す斜視図である。
【図２】同じく同採取装置の全体構成を示し、図２（ａ）は正面図、図２（ｂ）は同採取装置の装置ケース内部を示す正面図である。
【図３】同採取装置の剥離ヘッドの部位を拡大して示し、図３（ａ）は採取シールの仮剥離状態を示す斜視図、図３（ｂ）は同じく同採取シールの仮剥離状態を示す平面図である。
【図４】同じく同採取装置の剥離ヘッドにおける採取シールの仮剥離状態を拡大して示す正面断面図である。
【図５】同採取装置の採取テープを示し、図５（ａ）は平面図、図（ｂ)は基材テープと採取シールの積層状態を示す断面図、図５（ｃ）は基材テープと採取シールが剥離する状態を示す断面図である。
【図６】同採取装置のテープ繰出し手段を示し、図６（a）は繰出リールと操作ダイヤルの関係を非係合状態で示す斜視図、図６（ｂ)は同操作ダイヤルの係合部の構造を示す斜視図である。
【図７】同採取装置による鑑識対象物の採取方法を説明するための採取作業説明図である。
【図８】本発明の実施形態２である鑑識対象物の採取装置を示し、図８（a）は採取テープを繰出し操作するためのテープ繰出し手段を示す正面図、図８（ｂ)は同軸同テープ繰出し手段を示す平面図である。
【符号の説明】
【０１２２】
Ｓ                        採取シール
Ｓａ                      採取シールの採取面（粘着面）
Ｓｂ                      採取シールの非粘着面
Ｍａ、Ｍｂ                採取シールの目印マーク
Ｔ                        採取テープ
Ｈ                        剥離ヘッド
Ｈａ                      剥離ヘッドの先端縁（先端加圧部）
Ｏ                        毛髪（鑑識対象物）
Ｐ                        採取物貼付用台紙（鑑識用台紙）
１                        採取装置
２                        装置ケース
２ｂ                      装置ケースの操作窓（テープ繰出し手段）
５                        繰出リール
５ａ                      繰出リールの軸部（テープ繰出し手段）
６                        巻取リール
１０                      保護キャップ
１１                      環状ゴム部材（テープ連動手段）
１２                      操作ダイヤル（テープ繰出し手段）
２５                      基材テープ
２８                      本体シート
２９                      感圧粘着剤層
４０                      操作ダイヤルの回転操作部
４１                      操作ダイヤルの回転軸
４２                      繰出リールの操作ダイヤルの係合凸部
４５                      繰出リールの回転軸の中心穴
４６                      繰出リールの回転軸の係合凹部
５０                      操作フランジ（テープ繰出し手段）
【図１】
0005097991.tif 000002
【図２】
0005097991.tif 000003
【図３】
0005097991.tif 000004
【図４】
0005097991.tif 000005
【図５】
0005097991.tif 000006
【図６】
0005097991.tif 000007
【図７】
0005097991.tif 000008
【図８】
0005097991.tif 000009